(57)【要約】【課題】  工事現場に設置される単管バリケードに簡単に取付けることができて、歩行者に対する注意喚起機能を付与すると共に、安全性を高めること。【解決手段】  反射シート３を貼着した外装カバー２により独立気泡プラスチック成型体１を被覆した緩衝標示体１０を構成し、その緩衝標示体１０に単管バリケードへの取付け用の差込みパイプ４を突設し、その差込みパイプ４を単管Ｐに差込んで緩衝標示体１０を単管バリケードに取付ける。【選択図】  図１
2005207158.tif 000002
【特許請求の範囲】
【請求項１】
反射シートを貼着した外装カバーにより独立気泡プラスチック成型体を被覆した緩衝標示体を構成し、かつ、該緩衝標示体に進入規制柵などへの簡易取付け手段を具備せしめ、該簡易取付け手段により進入規制柵などに対し該進入規制柵から緩衝標示体を突出させた状態で取付けられるようにしたことを特徴とする、進入規制柵など用緩衝標示体。
【請求項２】
進入規制柵の頂部単管の外径より肉厚の緩衝標示体を構成し、かつ、該緩衝標示体の一側面から進入規制柵の単管と密に嵌合し得る差込みパイプを突設し、該差込みパイプを進入規制柵の頂部単管の端部に嵌着して進入規制柵の端部から緩衝標示体を突出させるようにしたことを特徴とする請求項１に記載の進入規制柵など用緩衝標示体。
【請求項３】
電柱などの既設柱状体の外表面に適合する凹面部を有するブロック状緩衝標示体を構成し、かつ、該ブロック状緩衝標示体の凹面部の左右両端に取付けバンドの基部を固定し、前記ブロック状緩衝標示体の凹面部と取付けバンドとにより既設柱状体を抱持して緩衝標示体を既設柱状体より突出させて取付け得るようにしたことを特徴とする請求項１に記載の既設柱状体用緩衝標示体。
【発明の詳細な説明】
【技術分野】
【０００１】
本発明は、主として、道路工事現場、建設現場などへの進入防止ないし進入規制柵用の緩衝標示体に関するものである。
【背景技術】
【０００２】
道路工事現場などへの自動車、自転車、歩行者などの進入防止ないし規制用として単管バリケードと云われる図８に示すバリケードが広く使用されている。すなわち、この単管バリケードは、鋼管の中央部をＵ字形に折り曲げた一対のスタンドＳの頂部に単管力を架装して固定金具Ｒにより固定したもので、工事現場などにおいて適宜間隔をへだてて所望の進入防止を行ない得るように設置されるが、同時に、作業者用通路として柵と柵の内に隙間を設けたり、バリケード数量を最少限にするために隙間を設けたりすることがあり、このような隙間に歩行者や自転車が進入し、路面が工事中で状態が悪いため人が単管の端部に接触して怪我をすることがある。このため、単管バリケードにおいては、単管の両端にキャップなどの保護部材を取付けることも考えられているが、危険防止効果上未だ不充分である。
【０００３】
なお、防護柵に関する発明として下記特許文献に記載の技術があるが、この発明は仮設現場での防護柵の組立てと分解撤去作業を簡単かつ迅速に行なうことを目的とするもので、歩行者や自転車が接触したときの危険防止については何等考慮されていない。
【特許文献１】特開２０００−１４４６５７号公報
【発明の開示】
【発明が解決しようとする課題】
【０００４】
本発明は、前記の如き従来技術の問題点を改善し、単管バリケードなどに簡単かつ容易に取付けることができて極めて効果的な緩衝作用を発揮すると共に、その緩衝体がここにバリケードなどがあることを報知する標示体としても機能する進入規制柵など用緩衝標示体を提供することを目的とする。
【課題を解決するための手段】
【０００５】
前記の目的を達成するため、本発明は、反射シートを貼着した外装カバーにより独立気泡プラスチック成型体を被覆した緩衝標示体を構成し、かつ、該緩衝標示体に進入規制柵などへの簡易取付け手段を具備せしめ、該簡易取付け手段により進入規制柵などから緩衝標示体を突出させた状態で取付けられるようにしたことを特徴とする。
【０００６】
また、本発明は、進入規制柵の頂部単管の外径より肉厚の緩衝標示体を構成し、かつ、該緩衝標示体の一側面から進入規制柵の単管と密に嵌合し得る差込みパイプを突設し、該差込みパイプを進入規制柵の頂部単管に嵌着して進入規制柵の端部から緩衝標示体を突出させて取付け得るようにしたことを特徴とする。
【０００７】
また、本発明は、電柱などの既設柱状体の外表面に適合する凹面部を有するブロック状緩衝標示体を構成し、かつ、該ブロック状緩衝標示体の凹面部の左右両端に取付けバンドの基部を固定し、前記ブロック状緩衝標示体の凹面部と取付けバンドとにより既設柱状体を抱持して緩衝標示体を既設柱状体より突出させた状態で取付け得るようにしたことを特徴とする。
【０００８】
本発明の進入規制柵など用緩衝標示体は、前記の如く、差込みパイプを単管の端部に差込み、または取付バンドを既設柱状体に巻きつけて緩衝標示体を簡単かつ容易に組み付けることができ、かくして単管バリケードに本発明の緩衝標示体を装着すると、昼間は反射シートと外表カバーとの模様，色調により視認性を高め、夜間は反射シートによる注意喚起機能を付与することができると共に、これに歩行者や自転車などが接触してもその衝撃を独立気泡プラスチック成型体よりなる標示体が吸収して安全性を高めることができる。
【発明の効果】
【０００９】
以上述べたように、本発明の進入規制柵など用緩衝標示体は、差込みパイプを単管の端部に指し込み、または取付バンドを既設柱状体に巻きつけるなどして、簡単かつ容易に緩衝標示体を進入規制柵などに組みつけることができ、かくして単管バリケードなどに本発明の緩衝標示体を装着すると、昼間は反射シートと外装カバーとの模様，色調により視認性を高め、夜間は反射シートによる注意喚起機能を付与することができると共に、これに歩行者や自転車などが接触してもその衝撃を独立気泡プラスチック成型体よりなる標示体が吸収して安全性を高めることができる。
【発明を実施するための最良の形態】
【００１０】
以下、添付図面について本発明にかかる緩衝標示体の実施の形態を説明する。
【００１１】
図１は単管バリケードに本発明の緩衝標示体を取付けた状態を示す正面図、図２（Ａ）は緩衝標示体の正面図、同図（Ｂ）は（Ａ）の平面図、同図（Ｃ）は（Ａ）の右側図面である。
【００１２】
これらの図に示すように、本発明は、反射シート３を貼着した外装カバー２により独立気泡プラスチック成型体１を被覆した緩衝標示体１０を構成し、かつ、該緩衝標示体１０に単管バリケードへの差込みパイプ４を固定する。さらに詳しく云うと、独立気泡プラスチック成型体１は、密度０．０１〜０．２ｇ／ｃｍ３、好ましくは０．０２７ｇ／ｃｍ３の発泡ポリエチレンを使用し、肉厚が単管バリケードの単管Ｐの外径より大きくて所望の標示面積を有する平盤状のものとする。外装カバー２は、基布にナイロン系、樹脂にＥＶＡを使用した（ＥＶＡターボリン）０．２〜２．０ｔ、好ましくは、０．３５ｔを用いる。また、差込みパイプ４は、単管バリケードの単管との挿入性をよくするため、バリケードの単管が４８．６φの場合、外径５４φ、肉厚み２．７ｍｍのウレタンパイプを使用し、その差込パイプ４の一半を独立気泡成型体１中にその側面から所要の寸法例えば１００ｍｍだけ挿入すると共にゴム系接着剤により固定して差込みパイプ４の他半を独立気泡プラスチック成形体の端面から突出させ、その突出する差込みパイプをバリケードの単管に挿入した後、固定バンド５を締めつけて緩衝標示体を単管バリケードに装着する。なお、外装カバー２が黒色の場合、反射シート３はこれと異なる色調のもの、例えばレモンイエロー色のものとし、これを外装カバーにゼブラ状に貼りつける。
【００１３】
図４および図５は、基本的には図２および図３に示す実施例と同様であるが、独立気泡プラスチック成型体１を防水シート６と外装カバー２とにより、被覆した点、および差込みパイプ４にスリット４１を設けた点において異なるだけで、その他の構成は図２および図３に示す実施例と同様であるので、その詳細な説明は省略する。
【００１４】
前記図１ないし図５に示す実施例は、単管バリケードに本発明の緩衝標示体を装着した例を示したが、電柱などの既設柱状体に緩衝標示体を取付けることもできる。
【００１５】
図６および図７はその一例を示すもので、電柱などの既設柱状体７の外表面に適合する凹面部１ａを一面に有するブロック状の独立気泡プラスチック成型体１を作り、その表面を反射シート３を貼着した外装カバー２により被覆して緩衝標示体１０を構成すると共に、その外装カバー２から左右一対の取付けバンド８，８を設け、その取付けバンドの先端に面ファスナー９，９を取付け、前記緩衝標示体１０の凹面部１ａと取付けバンド８，８とにより既設柱状体７を抱持して緩衝標示体１０を既設柱状体７より突出させた状態で取り付けたものである。なお、この実施例の場合、いたずらなどにより緩衝標示体が外されるおそれがある場合は、接着タイプの両面テープをどちらかに取りつければ良い。
【図面の簡単な説明】
【００１６】
【図１】単管バリケードに本発明の緩衝標示体を取付けた状態を示す正面図である。
【図２】緩衝標示体の一例を示すもので、（Ａ）はその正面図、（Ｂ）は（Ａ）の平面図、（Ｃ）は（Ａ）の右側面図である。
【図３】図２に示す緩衝標示体の単管への差込み接続状態を示す説明図である。
【図４】図２に示す緩衝標示体の変形例を示すもので、（Ａ）はその正面図、（Ｂ）は（Ａ）の右側面図である。
【図５】図４に示す緩衝標示体の単管への差込み接続状態を示す説明図である。
【図６】図２および図４と異なる緩衝標示体の一例を示す斜視図である。
【図７】図６に示す緩衝標示体の取付状態を示す説明図である。
【図８】本発明を適用する単管バリケードの一例を示す斜視図である。
【符号の説明】
【００１７】
１・・・独立気泡プラスチック成型体、２・・・外装カバー、３・・・反射シート、４・・・差込みパイプ、４１・・・スリット、５・・・固定バンド、６・・・防水シート、７・・・電柱、８・・・取付けバンド、９・・・面ファスナー、１０・・・緩衝標示体。
【図１】
2005207158.tif 000003
【図２】
2005207158.tif 000004
【図３】
2005207158.tif 000005
【図４】
2005207158.tif 000006
【図５】
2005207158.tif 000007
【図６】
2005207158.tif 000008
【図７】
2005207158.tif 000009
【図８】
2005207158.tif 000010